(57)【要約】【課題】直感的な操作によって撮像を自在に制御する。【解決手段】情報処理装置は、被写体を撮像する撮像部と、撮像部の制御のための１つの操作子が少なくとも表示される表示部と、操作子に対する第１の操作、および前記第１の操作とは異なる第２の操作を取得する操作部と、第１の操作の操作量に応じてタイマーを設定し、タイマーの進行に応じて表示部における操作子の表示を変化させ、第２の操作またはタイマーの値に応じて撮像部に被写体を撮像させる制御部と、を備える。【選択図】図２
2014067457.tif 000002
【特許請求の範囲】
【請求項１】
被写体を撮像する撮像部と、
前記撮像部の制御のための１つの操作子が少なくとも表示される表示部と、
前記操作子に対する第１の操作、および前記第１の操作とは異なる第２の操作を取得する操作部と、
前記操作部によって前記第１の操作が取得された場合に、前記第１の操作の操作量に応じてタイマーを設定し、前記タイマーの進行に応じて前記表示部における前記操作子の表示を変化させ、前記操作部によって前記第２の操作が取得された場合、または前記タイマーが満了した場合に、前記撮像部に前記被写体を撮像させる制御部と、
を備える情報処理装置。
【請求項２】
前記操作子は、ボタンであり、
前記第１の操作は、前記ボタンのドラッグ操作であり、
前記操作量は、前記ドラッグ操作による前記表示部における前記ボタンの移動距離であり、
前記制御部は、前記タイマーの進行に応じて、前記表示部における前記ボタンの表示位置を、前記ドラッグ操作の方向に変化させる、請求項１に記載の情報処理装置。
【請求項３】
前記制御部は、前記タイマーの残り時間を、前記ドラッグ操作による前記表示部における前記ボタンの移動の軌跡として前記表示部に表示させる、請求項２に記載の情報処理装置。
【請求項４】
前記撮像部は、前記被写体の動画を撮像し、
前記制御部は、前記ドラッグ操作による前記表示部における前記ボタンの移動距離に応じて、前記動画の撮像開始までのタイマーと、前記動画の持続時間のタイマーとを設定する、請求項２または３に記載の情報処理装置。
【請求項５】
前記操作部は、前記ボタンに対する、前記ドラッグ操作の方向とは異なる方向へのドラッグ操作を第３の操作として取得し、
前記制御部は、前記異なる方向へのドラッグ操作による前記表示部における前記ボタンの移動距離に応じて、前記撮像部に設定されているパラメータを変更する、請求項２〜４のいずれか１項に記載の情報処理装置。
【請求項６】
前記操作子は、ボタンであり、
前記第１の操作は、前記ボタンの押下操作であり、
前記操作量は、前記押下操作において加えられた押圧力の大きさであり、
前記制御部は、前記タイマーの進行に応じて、前記表示部における前記ボタンの表示サイズを変化させる、請求項１に記載の情報処理装置。
【請求項７】
前記制御部は、前記タイマーの残り時間を、前記押下操作の前後での前記ボタンの表示サイズの差として前記表示部に表示させる、請求項６に記載の情報処理装置。
【請求項８】
前記操作部は、前記ボタンに対するドラッグ操作を第３の操作として取得し、
前記制御部は、前記ドラッグ操作による前記表示部における前記ボタンの移動距離に応じて、前記撮像部に設定されている第１のパラメータを変更する、請求項６または７に記載の情報処理装置。
【請求項９】
前記操作部は、前記ボタンに対する、前記ドラッグ操作の方向とは異なる方向へのドラッグ操作を第４の操作として取得し、
前記制御部は、前記異なる方向へのドラッグ操作による前記表示部における前記ボタンの移動距離に応じて、前記撮像部に設定されている第２のパラメータを変更する、請求項８に記載の情報処理装置。
【請求項１０】
被写体を撮像する撮像部の制御のための１つの操作子を表示するステップと、
前記操作子に対する第１の操作、および前記第１の操作とは異なる第２の操作を取得するステップと、
前記第１の操作が取得された場合に、前記第１の操作の操作量に応じてタイマーを設定し、前記タイマーの進行に応じて前記操作子の表示を変化させ、前記第２の操作が取得された場合、または前記タイマーが満了した場合に、前記撮像部に前記被写体を撮像させるステップと、
を含む情報処理方法。
【請求項１１】
被写体を撮像する撮像部の制御のための１つの操作子を表示する処理と、
前記操作子に対する第１の操作、および前記第１の操作とは異なる第２の操作を取得する処理と、
前記第１の操作が取得された場合に、前記第１の操作の操作量に応じてタイマーを設定し、前記タイマーの進行に応じて前記操作子の表示を変化させ、前記第２の操作が取得された場合、または前記タイマーが満了した場合に、前記撮像部に前記被写体を撮像させる処理と、
をコンピュータに実行させるためのプログラム。
【発明の詳細な説明】
【技術分野】
【０００１】
本発明は、情報処理装置、情報処理方法およびプログラムに関し、特に、撮像を制御する情報処理装置、情報処理方法およびプログラムに関する。
【背景技術】
【０００２】
撮像装置の１つとして、映像をデジタルデータとして記録するデジタルカメラが、現在広く用いられている。多くのデジタルカメラには、撮像の対象画像などの情報を表示するディスプレイを設けられている。また、ＰＣ（Personal  Computer）、または携帯端末などにカメラを取り付けることも一般的である。この場合、ＰＣなどのディスプレイに、カメラによる撮像の対象画像などの情報が表示される。
【０００３】
そこで、ディスプレイをタッチスクリーンとして用いて、カメラの操作性を向上される技術が開発されている。例えば、特許文献１には、デジタルカメラのタッチスクリーンに対する複数の種類のなぞり操作に複数の撮影モードを対応付け、簡便かつ直感的な撮影モード切替操作を可能にする技術が記載されている。
【先行技術文献】
【特許文献】
【０００４】
【特許文献１】特開２０１０−０５５５９８号公報
【発明の概要】
【発明が解決しようとする課題】
【０００５】
例えば、カメラを用いて、ユーザ自身を被写体として撮像する場合、タイマー（いわゆるセルフタイマー）を用いることが一般的である。しかし、デジタルカメラでタイマーを用いる場合、設定画面などにおけるタイマーの設定の後にシャッターボタンを押すなど、複数の段階の操作が必要になり、操作が煩雑であるという問題があった。
【０００６】
また、ＰＣなどに取り付けられるカメラは、チャットなどのリアルタイム性をもったコミュニケーション手段において映像を送信するために用いられる場合がある。この場合、タイマーを設定後に再度調整したり、タイマーを打ち切って途中で撮影したりといった細かい操作が所望される場合があり、タイマーを用いるための操作が煩雑であるという問題は一層切実であった。
【０００７】
しかし、従来の技術は、特許文献１に記載のように、ダイヤルまたはボタンの機能をタッチスクリーン上での操作に置き換えるにとどまっており、例えば上記のようなタイマー設定操作の煩雑さを解消するには至っていない。
【０００８】
そこで、本発明は、上記問題に鑑みてなされたものであり、本発明の目的とするところは、直感的な操作によって撮像を自在に制御することが可能な、新規かつ改良された情報処理装置、情報処理方法およびプログラムを提供することにある。
【課題を解決するための手段】
【０００９】
上記課題を解決するために、本発明のある観点によれば、被写体を撮像する撮像部と、上記撮像部の制御のための１つの操作子が少なくとも表示される表示部と、上記操作子に対する第１の操作、および前記第１の操作とは異なる第２の操作を取得する操作部と、上記操作部によって上記第１の操作が取得された場合に、上記第１の操作の操作量に応じてタイマーを設定し、上記タイマーの進行に応じて上記表示部における上記操作子の表示を変化させ、上記操作部によって上記第２の操作が取得された場合、または上記タイマーが満了した場合に、上記撮像部に上記被写体を撮像させる制御部と、を備える情報処理装置が提供される。
【００１０】
また、上記課題を解決するために、本発明の別の観点によれば、被写体を撮像する撮像部の制御のための１つの操作子を表示するステップと、上記操作子に対する第１の操作、および前記第１の操作とは異なる第２の操作を取得するステップと、上記第１の操作が取得された場合に、上記第１の操作の操作量に応じてタイマーを設定し、上記タイマーの進行に応じて上記操作子の表示を変化させ、上記第２の操作が取得された場合、または上記タイマーが満了した場合に、上記撮像部に上記被写体を撮像させるステップと、を含む情報処理方法が提供される。
【００１１】
また、上記課題を解決するために、本発明のさらに別の観点によれば、被写体を撮像する撮像部の制御のための１つの操作子を表示する処理と、上記操作子に対する第１の操作、および前記第１の操作とは異なる第２の操作を取得する処理と、上記第１の操作が取得された場合に、上記第１の操作の操作量に応じてタイマーを設定し、上記タイマーの進行に応じて上記操作子の表示を変化させ、上記第２の操作が取得された場合、または上記タイマーが満了した場合に、上記撮像部に上記被写体を撮像させる処理と、をコンピュータに実行させるためのプログラムが提供される。
【発明の効果】
【００１２】
以上説明したように本発明によれば、直感的な操作によって撮像を自在に制御することができる。
【図面の簡単な説明】
【００１３】
【図１】本発明の第１の実施形態に係る情報処理装置の外観を示す図である。
【図２】同実施形態に係る情報処理装置の機能構成を示すブロック図である。
【図３】同実施形態における初期の操作画面の一例を示す図である。
【図４】同実施形態におけるタイマー設定中の操作画面の一例を示す図である。
【図５】本発明の第２の実施形態におけるタイマー設定中の操作画面の一例を示す図である。
【図６】本発明の第３の実施形態におけるパラメータ設定前の操作画面の一例を示す図である。
【図７】同実施形態におけるパラメータ設定後の操作画面の一例を示す図である。
【図８】同実施形態における処理の一例を示すフローチャートである。
【図９】本発明の第４の実施形態に係る情報処理装置の機能構成を示すブロック図である。
【図１０】同実施形態における操作画面の一例を示す図である。
【発明を実施するための形態】
【００１４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１５】
なお、説明は以下の順序で行うものとする。
１．第１の実施形態
１−１．装置構成
１−２．操作画面の動作
２．第２の実施形態
３．第３の実施形態
３−１．操作画面の動作
３−２．処理フロー
３−３．変形例
４．第４の実施形態
４−１．装置構成
４−２．操作画面の動作
４−３．変形例
５．補足
【００１６】
＜１．第１の実施形態＞
まず、図１〜４を参照して、本発明の第１の実施形態について説明する。
【００１７】
［１−１．装置構成］
図１は、本発明の第１の実施形態に係る情報処理装置１００の外観を示す図である。図１を参照すると、情報処理装置１００は、撮像部１１０、およびタッチスクリーン１４０を有する。
【００１８】
撮像部１１０は、被写体を撮像する。図示されている例において、撮像部１１０の被写体はユーザ自身であるが、それ以外の人や物であってもよい。撮像部１１０は、被写体の静止画を撮像してもよく、また動画を撮像してもよい。
【００１９】
タッチスクリーン１４０は、ユーザに対して操作画面３００を表示し、また操作画面３００に対するユーザの操作を取得する。ユーザは、タッチスクリーン１４０を介して操作画面３００を操作することによって、撮像部１１０を制御する。操作画面３００は、シャッターボタン３１０、および対象画像３２０を含む。タッチスクリーン１４０、および操作画面３００の詳細については後述する。
【００２０】
ここで、情報処理装置１００は、フォトフレーム型の端末装置として図示されているが、これには限られず、ＰＣ、携帯端末、デジタルカメラ、またはテレビなど、様々な装置でありうる。このうちＰＣ、携帯端末、およびデジタルカメラの例について、以下で説明する。
【００２１】
情報処理装置１００がＰＣである場合、ＰＣは、デスクトップ型、ノート型、タブレット型など、あらゆる種類でありうる。この場合、撮像部１１０は、ＰＣに内蔵、またはＵＳＢ（Universal  Serial  Bus）などを介して外付けされたカメラであり、例えば、ＰＣを操作するユーザを被写体とするＷｅｂカメラと呼ばれるものを含む。タッチスクリーン１４０は、ＰＣに内蔵、またはＤＶＩ（Digital  Visual  Interface）などを介して外付けされたディスプレイであるが、タッチスクリーンの機能を有さないディスプレイと、マウスまたはタブレットなどのポインティングデバイスとによって代用されてもよい。操作画面３００は、ＰＣのアプリケーションソフトウェアなどによって表示される画面であり、タッチスクリーン１４０の一部または全部に表示される。操作画面３００は、例えばチャットソフトなど他の機能を含むアプリケーションソフトウェアによって表示される画面の一部として表示されてもよい。
【００２２】
情報処理装置１００が携帯端末である場合、携帯端末は、例えば、携帯電話、ＰＤＡ（Personal  Digital  Assistants）、携帯ゲーム機などを含む。この場合、撮像部１１０は、携帯端末に内蔵、または外付けされたカメラである。タッチスクリーン１４０は、携帯端末のディスプレイ部分である。撮像部１１０が設置される面とタッチスクリーン１４０が設置される面とは、同じ面でもよく、反対側の面でもよい。操作画面３００は、携帯端末の制御ソフトウェアまたはアプリケーションソフトウェアによって表示される画面であり、タッチスクリーン１４０の一部または全部に表示される。
【００２３】
情報処理装置１００がデジタルカメラである場合、撮像部１１０は、デジタルカメラのうちレンズおよび撮像素子などを含む部分である。タッチスクリーン１４０は、デジタルカメラに設けられたタッチスクリーンである。通常のデジタルカメラの場合、撮像部１１０が設置される面とタッチスクリーン１４０が設置される面とは反対側になる。操作画面３００は、デジタルカメラの制御ソフトウェアなどによって表示される画面であり、通常はタッチスクリーン１４０の全部に表示される。
【００２４】
図２は、本発明の第１の実施形態に係る情報処理装置１００の機能構成を示すブロック図である。図２を参照すると、情報処理装置１００は、撮像部１１０、ディスプレイ１２０とタッチパネル１３０とを含むタッチスクリーン１４０、制御部１５０、タイマー１６０、および記憶部１７０を含む。
【００２５】
撮像部１１０は、被写体の静止画または動画を撮像する。撮像部１１０は、レンズおよび撮像素子などを含み、さらに、アクチュエータ、モータドライブ、および信号処理回路などを必要に応じて含む。上述のように、撮像部１１０は、情報処理装置１００に内蔵されていてもよく、またＵＳＢなどを介して外付けされていてもよい。
【００２６】
ディスプレイ１２０は、撮像部１１０の制御のためのシャッターボタン３１０を含む操作画面３００が表示される表示部である。ディスプレイ１２０は、例えばＬＣＤ（Liquid  Crystal  Display）、ＰＤＰ（Plasma  Display  Panel）、または有機ＥＬ（Electro-Luminescence）パネルでありうる。操作画面３００を含むディスプレイ１２０の表示内容は、制御部１５０によって制御される。
【００２７】
タッチパネル１３０は、ディスプレイ１２０に表示されたシャッターボタン３１０に対するユーザの操作を取得する操作部である。タッチパネル１３０は、シャッターボタン３１０に対する第１の種類の操作である画面の左右方向へのドラッグ操作と、第２の種類の操作である押下操作とを取得する。ここでいう押下操作は、タッチパネル１３０上でシャッターボタン３１０をタップする操作である。なお、タッチパネル１３０の代わりに、上記の２種類の操作を取得可能なマウスまたはタブレットなどのポインティングデバイスが操作部として用いられてもよい。操作部がマウスである場合の上記の押下操作は、ディスプレイ１２０に表示されたシャッターボタン３１０をクリックする操作である。
【００２８】
制御部１５０は、情報処理装置１００の各部を制御する。制御部１５０の機能は、例えば集積回路などを含む回路構成によって実現されてもよく、また、記憶部１７０に格納されたプログラムをＣＰＵ（Central  Processing  Unit）が実行することによって実現されてもよい。
【００２９】
ここで、制御部１５０は、タッチパネル１３０によってシャッターボタン３１０に対するドラッグ操作が取得された場合に、ドラッグ操作によるシャッターボタン３１０の移動距離に応じて、タイマー１６０のカウンタ値を設定する。制御部１５０は、例えば、移動距離から線形の関数によってタイマー１６０のカウンタ値を決定してもよい。また、制御部１５０は、移動距離から例えば対数関数などの非線形の関数によってタイマー１６０のカウンタ値を決定してもよい。
【００３０】
また、制御部１５０は、タイマー１６０によるカウントダウンの進行に応じて、ディスプレイ１２０に表示された操作画面３００におけるシャッターボタン３１０の表示を変化させる。具体的には、制御部１５０は、シャッターボタン３１０の表示位置を、ドラッグ操作の方向に、ドラッグ操作とは逆向きに変化させる。従って、シャッターボタン３１０の表示位置は、タイマー１６０によるカウントダウンの進行に応じて、ドラッグ操作による移動が徐々に巻き戻されていくように変化する。
【００３１】
さらに、制御部１５０は、タッチパネル１３０によってシャッターボタン３１０に対する押下操作が取得された場合、またはタイマー１６０が満了した場合に、撮像部１１０に被写体の撮像を実行させる。つまり、制御部１５０は、ユーザによる撮影の指示、またはタイマー１６０の満了をトリガーとして、撮像部１１０に撮像を実行させる。
【００３２】
タイマー１６０は、カウンタを有するカウントダウンタイマーである。タイマー１６０のカウンタ値は、シャッターボタン３１０に対するドラッグ操作によるシャッターボタン３１０の移動距離に応じて、制御部１５０によって設定される。カウンタ値の設定後、タイマー１６０は、カウンタ値のカウントダウンを開始する。カウンタ値が所定の量カウントダウンされるごとに、制御部１５０が、ディスプレイ１２０におけるシャッターボタン３１０の表示を変化させる。タイマー１６０が満了した場合、制御部１５０が、撮像部１１０に被写体の撮像を実行させる。
【００３３】
記憶部１７０には、情報処理装置１００における処理に必要なデータが格納される。例えば、記憶部１７０には、撮像部１１０によって撮像されたデジタルデータが格納される。また、記憶部１７０には、ＣＰＵに実行させることによって制御部１５０の機能を実現するプログラムが格納されてもよい。記憶部１７０は、ＲＯＭ（Read  Only  Memory）、ＲＡＭ（Random  Access  Memory）などの記憶装置、および光ディスク、磁気ディスク、半導体メモリなどのリムーバブル記憶媒体を必要に応じて組み合わせて実装される。従って、上記のプログラムは、ネットワーク（図示せず）からダウンロードされて記憶装置に格納されるものでもよく、また予めリムーバブル記憶媒体に格納されたものでもよい。
【００３４】
［１−２．操作画面の動作］
（初期の操作画面）
図３は、本発明の第１の実施形態における初期の操作画面３００の一例を示す図である。図３を参照すると、操作画面３００には、シャッターボタン３１０、タイマー設定可能時間表示３１２、および対象画像３２０が表示される。
【００３５】
なお、以下の操作画面の動作の説明においては、ユーザがタッチパネル１３０を介したドラッグ操作および押下操作によってシャッターボタン３１０を操作するものとしているが、上述のように、情報処理装置１００の操作部がマウスまたはタブレットなどのポインティングデバイスである場合にも、同様に、ドラッグ操作および押下操作によってシャッターボタン３１０を操作することが可能である。
【００３６】
操作画面３００は、情報処理装置１００の撮像部１１０を制御するために、制御部１５０によってディスプレイ１２０に表示される。操作画面３００は、ディスプレイ１２０の全部に表示されてもよく、一部に表示されてもよい。また、操作画面３００の大きさは、ディスプレイ１２０上で調整可能であってもよい。
【００３７】
シャッターボタン３１０は、撮像部１１０の制御のための操作子である。ユーザは、タッチパネル１３０を介して、シャッターボタン３１０に対するドラッグ操作および押下操作が可能である。シャッターボタン３１０は略矩形で図示されているが、どのような形でもよい。また、シャッターボタン３１０は、ボタンであることを示すために立体的に表示されてもよい。
【００３８】
タイマー設定可能時間表示３１２は、シャッターボタン３１０がドラッグ可能な領域として表示される。図示されている例では、シャッターボタン３１０から画面左側に、タイマー設定可能時間表示３１２が表示されている。これは、シャッターボタン３１０が画面左にドラッグ操作可能であり、最大でタイマー設定可能時間表示３１２によって示される時間のタイマーを設定可能であることを示す。
【００３９】
対象画像３２０は、撮像部１１０による撮像の対象となる画像である。対象画像３２０は、その時点で撮像部１１０に映っている画像であり、ユーザは対象画像３２０によって、撮像部１１０の方向や撮像のタイミングを調整することが可能である。
【００４０】
ここで、ユーザがタッチパネル１３０を介してシャッターボタン３１０に対するドラッグ操作をした場合、制御部１５０は、シャッターボタン３１０をドラッグ操作に従って移動させ、その移動距離に応じてタイマー１６０を設定する。また、ユーザがタッチパネル１３０を介してシャッターボタン３１０に対する押下操作をした場合、制御部１５０は、撮像部１１０に被写体の撮像を実行させる。つまり、ユーザは、タイマー１６０を設定したい場合にはシャッターボタン３１０をドラッグし、すぐに撮影したい場合にはシャッターボタン３１０を押下する。
【００４１】
このように、１つの操作子であるシャッターボタン３１０に対するドラッグ操作および押下操作の２種類の操作で、撮像までのタイマー設定、および撮像の実行の２種類の動作が可能であることによって、ユーザは、タイマー１６０を用いた撮像と、通常の撮像との操作の違いを意識することなく、これらを容易に使い分けることができる。
【００４２】
（タイマー設定中の操作画面）
図４は、本発明の第１の実施形態におけるタイマー設定中の操作画面３００の一例を示す図である。図４を参照すると、操作画面３００には、シャッターボタン３１０、タイマー設定可能時間表示３１２、および対象画像３２０に加えて、タイマー残り時間表示３１４、およびタイマー残り時間補助表示３１６が表示される。
【００４３】
ここで、シャッターボタン３１０は、タッチパネル１３０を介したユーザのドラッグ操作の結果、画面の左向きに移動して表示されている。情報処理装置１００の制御部１５０は、このときの移動距離に応じてタイマー１６０のカウンタ値を設定する。タイマー１６０のカウンタ値が所定の量カウントダウンされるごとに、シャッターボタン３１０は、ドラッグ操作と同じ方向に、ドラッグ操作とは逆向きに移動して表示される。具体的には、シャッターボタン３１０は、タイマー１６０によるカウントダウンの進行に応じて、ドラッグ操作による移動が徐々に巻き戻されていくように移動し、初期表示の位置まで移動したときに、撮像部１１０によって撮像が実行される。
【００４４】
このように、シャッターボタン３１０のドラッグ操作による移動距離に応じてタイマー１６０のカウンタ値が設定されることによって、ユーザは、アナログ的な視覚効果を伴う操作によって直感的にタイマー１６０の設定をすることができる。また、タイマー１６０によるカウントダウンの進行に応じてシャッターボタン３１０を移動させることによって、ユーザは、タイマー１６０のカウントダウンが進行中であることを直感的に把握することができる。
【００４５】
タイマー残り時間表示３１４は、ドラッグ操作によるシャッターボタン３１０の移動の軌跡として表示される。つまり、タイマー残り時間表示３１４は、図３に示される初期の操作画面３００におけるシャッターボタン３１０の位置から、図４に示されるタイマー設定中の操作画面３００におけるシャッターボタン３１０の位置までの軌跡である。タイマー残り時間表示３１４は、シャッターボタン３１０、およびタイマー設定可能時間表示３１２とは異なる色で、識別が容易なように表示されてもよい。タイマー残り時間表示３１４の表示は、タイマー１６０のカウントダウンの進行に応じたシャッターボタン３１０の移動に伴って変化してもよい。
【００４６】
このように、タイマー残り時間表示３１４が表示されることによって、ユーザは、タイマー１６０のカウンタ値、すなわち撮像部１１０による撮像までの残り時間を、自らのドラッグ操作の軌跡として直感的に把握することができる。
【００４７】
タイマー残り時間補助表示３１６は、タイマー１６０のカウンタ値を数値化して表示するものである。タイマー残り時間補助表示３１６がタイマー残り時間表示３１４とともに操作画面３００に表示され、タイマー設定中であること、および、撮像までの残り時間が、冗長性をもってユーザに提示されるようにしてもよい。
【００４８】
以上で説明されたタイマー操作中の操作画面３００において、ユーザがタッチパネル１３０を介してシャッターボタン３１０に対するドラッグ操作をした場合、制御部１５０は、シャッターボタン３１０をドラッグ操作に従って移動させ、その移動距離に応じてタイマー１６０を再設定する。また、ユーザがタッチパネル１３０を介してシャッターボタン３１０に対する押下操作をした場合、制御部１５０は、撮像部１１０に被写体の撮像を実行させる。つまり、ユーザは、タイマーを設定しなおしたい場合にはシャッターボタン３１０をドラッグし、すぐに撮影したい場合にはシャッターボタン３１０を押下する。
【００４９】
このように、タイマー設定中でも、シャッターボタン３１０に対するドラッグ操作および押下操作が可能であり、撮像までのタイマーの再設定、および撮像の実行の２種類の動作が可能であることによって、ユーザは、最初のタイマーの設定が長すぎる、または短すぎると感じた場合に、タイマーのキャンセルなどの操作を減ることなく、直感的な操作によって容易にタイマーを再設定することができる。また、ユーザは、タイマー設定中に気が変わってすぐ撮像したくなった場合にも、タイマーのキャンセルなどの操作を減ることなく、直感的な操作によって容易に撮像を実行することができる。
【００５０】
なお、上記で図３および図４を参照して説明された例においては、シャッターボタン３１０はタイマーのカウンタ値が０に相当する位置に初期表示されるものとしたが、例えば２秒、５秒などのカウンタ値が初期設定されていてもよい。この場合、初期の操作画面３００においても、タイマー残り時間表示３１４およびタイマー残り時間補助表示３１６が表示されてもよい。
【００５１】
＜２．第２の実施形態＞
次に、図５を参照して、本発明の第２の実施形態について説明する。なお、本発明の第２の実施形態は、第１の実施形態と比べて、制御部１５０およびタイマー１６０の機能、ならびにタイマー設定中に表示される操作画面３００において相違するが、その他の機能構成は第１の実施形態と略同一であるため、詳細説明は省略する。
【００５２】
図５は、本発明の第２の実施形態におけるタイマー設定中の操作画面３００の一例を示す図である。図５を参照すると、操作画面３００には、シャッターボタン３１０、タイマー設定可能時間表示３１２、タイマー残り時間表示３１４、タイマー残り時間補助表示３１６、および対象画像３２０に加えて、撮像持続時間表示３１８が表示される。
【００５３】
本実施形態において、撮像部１１０は、被写体の動画を撮像する。制御部１５０は、タッチパネル１３０が取得した、シャッターボタン３１０に対するドラッグ操作によるシャッターボタン３１０の移動距離に応じて、動画の撮像開始までのタイマー、および動画の持続時間のタイマーの、２種類のタイマーを設定する。２種類のタイマーの設定は、タイマー１６０が２つのカウンタを有することによって実現されてもよい。また、制御部１５０が、動画の撮像開始までのカウンタ値をタイマー１６０に設定し、タイマー１６０が満了して撮像が開始されたときに、動画の持続時間のカウンタ値をタイマー１６０に設定することによって実現されてもよい。
【００５４】
操作画面３００において、上記の２種類のタイマーは、例えばシャッターボタン３１０に対する２段階のドラッグ操作によって設定されてもよい。この場合、ユーザは、第１段階のドラッグ操作によって撮像の持続時間を設定し、第２段階のドラッグ操作によって撮像開始までの時間を設定する。上記の２段階のドラッグ操作は、例えばユーザの指がタッチパネル１３０から一旦離れることによって識別されてもよいし、ユーザの指がタッチパネル１３０上で一旦静止することによって識別されてもよい。
【００５５】
このように、シャッターボタン３１０のドラッグ操作の移動距離に応じて２種類のタイマーが設定されることによって、ユーザは、動画の撮像における撮像の持続時間についても、アナログ的な視覚効果を伴う操作によって直感的に設定することができる。
【００５６】
ここで、撮像持続時間表示３１８は、第１段階のドラッグ操作によるシャッターボタン３１０の移動の軌跡として表示され、タイマー残り時間表示３１４は、第２段階のドラッグ操作によるシャッターボタン３１０の移動の軌跡として表示される。撮像持続時間表示３１８は、タイマー設定可能時間表示３１２、およびタイマー残り時間表示３１４とは異なる色で、識別が容易なように表示されてもよい。また、タイマー残り時間表示３１４と撮像持続時間表示３１８との間には、図示されているような区切り線が表示され、「ＲＥＣ  ＳＴＡＲＴ」などの文字が表示されることによって、それぞれの表示が表す時間がユーザに容易に把握されるにしてもよい。撮像持続時間表示３１８の表示は、タイマー１６０のカウントダウンの進行に応じたシャッターボタン３１０の移動に伴って変化してもよい。
【００５７】
このように、撮像持続時間表示３１８を表示することによって、ユーザは、動画の撮像における撮像の持続時間についても、自らのドラッグ操作の軌跡として直感的に把握することができる。
【００５８】
＜３．第３の実施形態＞
次に、図６〜８を参照して、本発明の第３の実施形態について説明する。なお、本発明の第３の実施形態は、第１および第２の実施形態と比べて、制御部１５０の機能、および操作画面３００の表示において相違するが、その他の機能構成は第１または第２の実施形態と略同一であるため、詳細説明は省略する。
【００５９】
［３−１．操作画面の動作］
（パラメータ設定前の操作画面）
図６は、本発明の第３の実施形態におけるパラメータ設定前の操作画面３００の一例を示す図である。図６を参照すると、操作画面３００には、シャッターボタン３１０、タイマー設定可能時間表示３１２、タイマー残り時間表示３１４、タイマー残り時間補助表示３１６、および対象画像３２０に加えて、画角設定表示３３０が表示される。
【００６０】
ここで、ユーザは、タッチパネル１３０を介して、シャッターボタン３１０に対する第１の種類の操作である画面の左右方向へのドラッグ操作、および第２の種類の操作である押下操作に加えて、第３の種類の操作である、画面の上下方向へのドラッグ操作が可能である。制御部１５０は、画面の上下方向へのドラッグ操作によるシャッターボタン３１０の移動距離に応じて、撮像部１１０に設定されているパラメータである画角を変更する。なお、変更されるパラメータは、例えば、輝度、ホワイトバランス、または動画の撮像の持続時間などであってもよい。
【００６１】
このように、１つの操作子であるシャッターボタン３１０に対する画面の上下方向へのドラッグ操作で、撮像部に設定されているパラメータの変更が可能であることによって、ユーザは、タイマーの設定時、またはタイマーの設定中に、画角、輝度、ホワイトバランス、または動画の撮像の持続時間などを、直感的な操作によって自由に調整することができる。
【００６２】
画角設定表示３３０は、シャッターボタン３１０が画面の上下方向にドラッグ可能な領域として表示される。図示されている例では、シャッターボタン３１０から上下両側に、画角設定表示３３０が表示されている。これは、シャッターボタン３１０が画面上下の両方にドラッグ操作可能であり、画面の上下方向へのドラッグ操作によって、撮像部１１０に設定されている画角が変更されることを示す。画角設定表示３３０は、変更されるパラメータを表示する文字列を伴ってもよい。図示されている例では、シャッターボタン３１０を画面の上向きにドラッグするとズームイン、下向きにドラッグするとズームアウトする旨の文字列によって、撮像部１１０に設定されている画角のパラメータが変更されることが示されている。
【００６３】
このように、画角設定表示３３０が表示されることによって、ユーザは、シャッターボタン３１０の画面上下方向へのドラッグ操作によって画角のパラメータが設定可能であること、およびドラッグの向きと画角のパラメータの増減との関係を容易に把握することができる。
【００６４】
（パラメータ設定後の操作画面）
図７は、本発明の第３の実施形態におけるパラメータ設定後の操作画面３００の一例を示す図である。図７を参照すると、操作画面３００には、シャッターボタン３１０、タイマー設定可能時間表示３１２、タイマー残り時間表示３１４、タイマー残り時間補助表示３１６、対象画像３２０、および画角設定表示３３０が表示される。
【００６５】
図示されている例において、制御部１５０は、撮像部１１０に設定されているパラメータの値に応じて、シャッターボタン３１０を画面の上下方向に移動させる。具体的には、シャッターボタン３１０が下向きにドラッグ操作されたことによって、撮像部１１０に設定されている画角のパラメータが変更され、変更された画角のパラメータに応じて、制御部１５０は、シャッターボタン３１０の位置を下向きに移動させる。ここで、シャッターボタン３１０が画面の下向きに移動して表示されるのに伴って、タイマー設定可能時間表示３１２、およびタイマー残り時間表示３１４も同様に、画面の下向きに移動して表示されてもよい。
【００６６】
このように、シャッターボタン３１０が、撮像部１１０に設定されているパラメータに応じて移動することによって、ユーザは、撮像部１１０に設定されているパラメータの値を直感的に把握することができ、例えばパラメータの再設定をするか否かを容易に判断することができる。
【００６７】
以上で説明されたパラメータ設定後の操作画面３００において、ユーザがタッチパネル１３０を介して、シャッターボタン３１０に対する画面の上下方向のドラッグ操作をした場合、制御部１５０は、シャッターボタン３１０をドラッグ操作に従って移動させ、その移動距離に応じて、撮像部１１０に設定されているパラメータを再変更する。パラメータ変更後の操作画面３００においても、シャッターボタン３１０に対する３種類の操作によって、タイマーの設定、撮像の実行、およびパラメータの変更のそれぞれの操作をすることが可能である。
【００６８】
このように、パラメータ設定後にも、シャッターボタン３１０に対する画面の上下方向のドラッグ操作が可能であり、パラメータの再設定が可能であることによって、ユーザは、最初のパラメータ設定が適当でないと感じた場合に、容易にパラメータを再設定することができる。
【００６９】
［３−２．処理フロー］
図８は、本発明の第３の実施形態における処理の一例を示すフローチャートである。図８を参照すると、情報処理装置１００において所定の周期ごとに実行される処理が示されている。
【００７０】
なお、以下で説明するフローチャートに記述されたステップは、記載された順序に沿って時系列的に行われる処理はもちろん、必ずしも時系列的に処理されなくとも、並列的にまたは個別的に実行される処理をも含む。また、時系列的に処理されるステップでも、場合によっては適宜順序を変更することが可能である。
【００７１】
まず、制御部１５０は、タッチパネル１３０によってシャッターボタン３１０に対する押下操作が取得されたか否かを判定する（ステップＳ１０１）。押下操作が取得されたと判定された場合、制御部１５０は、撮像部１１０に撮像を実行させ（ステップＳ１０３）、処理を終了する。一方、押下操作が取得されなかったと判定された場合、制御部１５０は、次に、タッチパネル１３０によってシャッターボタン３１０に対するドラッグ操作が取得されたか否かを判定する（ステップＳ１０５）。
【００７２】
ステップＳ１０５において、ドラッグ操作が取得されたと判定された場合、制御部１５０は、次に、シャッターボタン３１０の移動量を取得する（ステップＳ１０７）。続いて、制御部１５０は、取得されたドラッグ操作が画面の上下方向のドラッグ操作であるか否かを判定する（ステップＳ１０９）。
【００７３】
ステップＳ１０９において、ドラッグ操作が画面の上下方向のドラッグ操作であると判定された場合、制御部１５０は、次に、撮像部１１０に設定されている画角のパラメータを、ステップＳ１０７において取得したシャッターボタン３１０の移動量に応じて変更して設定し（ステップＳ１１１）、処理を終了する。一方、ドラッグ操作が画面の上下方向のドラッグ操作ではない、すなわち、他の方向である画面の左右方向のドラッグ操作であると判定された場合、制御部１５０は、次に、タイマー１６０のカウンタ値を、ステップＳ１０７において取得したシャッターボタン３１０の移動量に応じて設定し（ステップＳ１１３）、処理を終了する。
【００７４】
一方、ステップＳ１０５において、ドラッグ操作が取得されなかったと判定された場合、制御部１５０は、タッチパネル１３０によるシャッターボタン３１０への操作はなかったと判断し、タイマー１６０を用いた処理に移行する。ここで、まず、制御部１５０は、タイマー１６０のカウンタ値が０よりも大きいか否かを判定する（ステップＳ１１５）。
【００７５】
ステップＳ１１５において、タイマー１６０のカウンタ値が０よりも大きいと判定された場合、制御部１５０は、撮像までのタイマーが設定中であると判断し、タイマー１６０のカウンタ値を所定の量だけカウントダウンする（ステップＳ１１７）。ここでは、所定の量を１としている。ステップＳ１１７におけるタイマー１６０のカウンタ値のカウントダウンの後、制御部１５０は、タイマー１６０のカウンタ値が０であるか否かを判断する（ステップＳ１１９）。
【００７６】
ステップＳ１１９において、タイマー１６０のカウンタ値が０であると判定された場合、制御部１５０は、タイマー１６０が満了したと判断し、撮像部１１０に撮像を実行させて（ステップＳ１０３）、処理を終了する。一方、タイマー１６０のカウンタ値が０ではないと判定された場合、制御部１５０は、処理を終了する。
【００７７】
一方、ステップＳ１１５において、タイマー１６０のカウンタ値が０よりも大きくない、つまり０であると判定された場合、制御部１５０は、撮像までのタイマーは設定されていないと判断し、処理を終了する。
【００７８】
［３−３．変形例］
本実施形態の変形例として、制御部１５０が、撮像部１１０に設定されているパラメータの値に応じて、シャッターボタン３１０を画面の上下方向に移動させた後、シャッターボタン３１０を元の位置に戻す、つまり、画角設定表示３３０における画面の上下方向の中央に戻す構成としてもよい。この場合、撮像部１１０に設定されているパラメータの値に応じて、画角設定表示３３０の一部の色を変化させるなどして、ユーザがパラメータの値を把握できるようにしてもよい。また、制御部１５０は、パラメータの設定後に、画面の左右方向のドラッグ操作によってタイマー設定がされるときに、画角設定表示３３０を非表示にしてもよい。
【００７９】
このように、シャッターボタン３１０を元の位置に戻す構成によって、タイマー１６０の設定に関連する表示要素を一定の場所に表示し、ユーザの混乱や誤操作を防ぐことができる。また、制御部１５０が画角設定表示３３０を非表示とした後に、輝度、ホワイトバランス、または動画の撮像の持続時間など他のパラメータの設定表示を表示し、画面の上下方向のドラッグ操作によってこれらのパラメータを変更する構成とすることもできる。
【００８０】
＜４．第４の実施形態＞
次に、図９および図１０を参照して、本発明の第４の実施形態について説明する。なお、本発明の第４の実施形態は、第３の実施形態と比べて、タッチパネル２３０および制御部２５０の機能、ならびに操作画面４００の表示において相違するが、その他の機能構成は第３の実施形態と略同一であるため、詳細説明は省略する。
【００８１】
［４−１．装置構成］
図９は、本発明の第４の実施形態に係る情報処理装置２００の構成を示すブロック図である。図９を参照すると、情報処理装置２００は、撮像部１１０、ディスプレイ１２０とタッチパネル２３０とを含むタッチスクリーン２４０、制御部２５０、タイマー１６０、ならびに記憶部１７０を含む。
【００８２】
情報処理装置２００は、第３の実施形態に係る情報処理装置１００と同様に、ＰＣ、携帯端末、デジタルカメラ、またはテレビなど、様々な装置でありうる。
【００８３】
タッチパネル２３０は、ディスプレイ１２０に表示されたシャッターボタン４１０に対するユーザの操作を取得する操作部である。タッチパネル２３０は、シャッターボタン４１０に対するユーザの押下操作の押圧力の大きさを取得可能である。タッチパネル２３０は、シャッターボタン４１０に対する第１の種類の操作である所定の値以上の押圧力での押下操作、第２の種類の操作である所定の値未満の押圧力での押下操作、第３の種類の操作である画面の上下方向へのドラッグ操作、および、第４の種類の操作である画面の左右方向へのドラッグ操作を取得する。タッチパネル２３０は、押圧力の大きさを取得可能なタブレットなどのポインティングデバイスによって代用されてもよい。
【００８４】
制御部２５０は、情報処理装置１００の各部を制御する。制御部２５０は、例えば集積回路などを含む回路構成によってハードウェアとして実装されてもよく、また、記憶部１７０に格納されたプログラムを実行するＣＰＵ（Central  Processing  Unit）によってソフトウェアとして実装されてもよい。
【００８５】
ここで、制御部２５０は、タッチパネル２３０によってシャッターボタン４１０に対する所定の値以上の押圧力での押下操作が取得された場合に、押下操作において加えられた押圧力の大きさに応じて、タイマー１６０のカウンタ値を設定する。例えば、制御部２５０は、押圧力の大きさから線形の関数によってタイマー１６０のカウンタ値を決定してもよい。また、制御部２５０は、押圧力の大きさから例えば対数関数などの非線形の関数によってタイマー１６０のカウンタ値を決定してもよい。
【００８６】
また、制御部２５０は、設定されたタイマー１６０のカウンタ値に応じて、シャッターボタン４１０の表示サイズを、初期表示の表示サイズよりも縮小する。さらに、制御部２５０は、タイマー１６０によるカウントダウンの進行に応じて、シャッターボタン４１０の表示サイズを初期に表示されたサイズまで徐々に大きくする。
【００８７】
また、制御部２５０は、タッチパネル２３０によってシャッターボタン４１０に対する所定の値未満の押圧力での押下操作が取得された場合、またはタイマー１６０が満了した場合に、撮像部１１０に被写体の撮像を実行させる。つまり、制御部２５０は、ユーザによる撮影の指示、またはタイマー１６０の満了をトリガーとして、撮像部１１０に撮像を実行させる。
【００８８】
また、制御部２５０は、タッチパネル２３０が取得した、シャッターボタン４１０に対する画面の上下方向へのドラッグ操作によるシャッターボタン４１０の移動距離に応じて、撮像部１１０に設定されている画角のパラメータを変更する。
【００８９】
また、制御部２５０は、タッチパネル２３０が取得した、シャッターボタン４１０に対する画面の左右方向へのドラッグ操作によるシャッターボタン４１０の移動距離に応じて、撮像部１１０に設定されている輝度のパラメータを変更する。
【００９０】
なお、制御部２５０が、シャッターボタン４１０に対する画面の上下方向または左右方向へのドラッグ操作に応じて変更するパラメータは、画角、輝度、ホワイトバランス、または動画の撮像の持続時間などから任意に選択されうる。
【００９１】
［４−２．操作画面の動作］
図１０は、本発明の第４の実施形態における操作画面４００の一例を示す図である。図１０を参照すると、操作画面３００には、シャッターボタン４１０、タイマー残り時間表示４１４、タイマー残り時間補助表示４１６、対象画像３２０、画角設定表示３３０、および輝度設定表示４４０が表示される。
【００９２】
シャッターボタン４１０は、撮像部１１０の制御のための操作子である。ユーザは、タッチパネル２３０を介して、シャッターボタン４１０に対する押下操作、画面の上下方向のドラッグ操作、および画面の左右方向のドラッグ動作が可能である。シャッターボタン４１０は略円形で図示されているが、どのような形でもよい。また、シャッターボタン４１０は、ボタンであることを示すために立体的に表示されてもよい。
【００９３】
ここで、ユーザがタッチパネル２３０を介してシャッターボタン４１０に対する所定の値以上の押圧力での押下操作をした場合、制御部２５０は、押圧力の大きさに応じてタイマー１６０を設定する。また、ユーザがタッチパネル２３０を介してシャッターボタン４１０に対する所定の押圧力未満の押下操作をした場合、制御部２５０は、撮像部１１０に被写体の撮像を実行させる。つまり、ユーザは、タイマーを設定したい場合にはシャッターボタン４１０を強く押下し、すぐに撮影したい場合にはシャッターボタン４１０を軽く押下する。
【００９４】
このように、１つの操作子であるシャッターボタン４１０に対する強弱の２種類の押下操作で、撮像までのタイマー設定、および撮像の実行の２種類の動作が可能であることによって、ユーザは、タイマーを用いた撮像と、通常の撮像との操作の違いを意識することなく、これらを容易に使い分けることができる。
【００９５】
ここで、シャッターボタン４１０は、ユーザによる押下操作での押圧力の大きさに応じて設定されたタイマー１６０のカウンタ値に応じて、初期表示の表示サイズよりも縮小して表示される。その後、シャッターボタン４１０は、タイマー１６０によるカウントダウンの進行に応じて、徐々に拡大され、初期表示の表示サイズまで拡大されたときに、撮像部１１０によって撮像が実行される。
【００９６】
このように、シャッターボタン４１０の押下操作での押圧力の大きさに応じてタイマー１６０のカウンタ値が設定され、設定されたカウンタ値に応じてシャッターボタン４１０が縮小して表示されることによって、ユーザは、アナログ的な視覚効果を伴う操作によって直感的にタイマー１６０の設定をすることができる。また、タイマー１６０によるカウントダウンの進行に応じてシャッターボタン４１０を拡大させることによって、ユーザは、タイマー１６０のカウントダウンが進行中であることを直感的に把握することができる。
【００９７】
タイマー残り時間表示４１４は、押下操作の前後でのシャッターボタン４１０の表示サイズの差として表示される。タイマー残り時間表示４１４は、シャッターボタン４１０とは異なる色で、識別が容易なように表示されてもよい。タイマー１６０のカウントダウンの進行に応じたシャッターボタン４１０の拡大に伴って、タイマー残り時間表示４１４の表示が変化してもよい。
【００９８】
このように、タイマー残り時間表示４１４が表示されることによって、ユーザは、タイマー１６０のカウンタ値、すなわち撮像部１１０による撮像までの残り時間を、シャッターボタン４１０の周りに残された領域として直感的に把握することができる。
【００９９】
タイマー残り時間補助表示４１６は、タイマー１６０のカウンタ値を数値化して表示するものである。タイマー残り時間補助表示４１６がタイマー残り時間表示４１４とともに操作画面３００に表示され、タイマー設定中であること、および、撮像までの残り時間が、冗長性をもってユーザに提示されるようにしてもよい。シャッターボタン４１０がある程度の大きさをもつ場合、タイマー残り時間補助表示４１６は、図示されているようにシャッターボタン４１０の内側に表示されてもよい。
【０１００】
また、ユーザは、タッチパネル１３０を介して、シャッターボタン３１０に対する第３の種類の操作である画面の上下方向へのドラッグ操作、および、第４の種類の操作である画面の左右方向へのドラッグ操作が可能である。制御部１５０は、画面の上下方向へのドラッグ操作によるシャッターボタン３１０の移動距離に応じて、撮像部１１０に設定されている第１のパラメータである画角を変更する。さらに、制御部１５０は、画面の左右方向へのドラッグ操作によるシャッターボタン３１０の移動距離に応じて、撮像部１１０に設定されている第２のパラメータである輝度を変更する。変更される第１および第２のパラメータは、例えば、画角、輝度、ホワイトバランス、または動画の撮像の持続時間などから任意に選択されうる。
【０１０１】
このように、１つの操作子であるシャッターボタン４１０に対する画面の上下方向および左右方向へのドラッグ操作で、撮像部に設定されている複数のパラメータの変更が可能であることによって、ユーザは、タイマーの設定時、またはタイマーの設定中に、画角、輝度、ホワイトバランス、または動画の撮像の持続時間などを、直感的な操作によって自由に調整することができる。
【０１０２】
輝度設定表示４４０は、シャッターボタン４１０が画面の左右方向にドラッグ可能な領域として表示される。これは、シャッターボタン４１０が画面左右の両方にドラッグ操作可能であり、画面の左右方向へのドラッグ操作によって、撮像部１１０に設定されている輝度が変更されることを示す。輝度設定表示４４０は、図示されているように、変更されるパラメータを表示する文字列を伴ってもよい。
【０１０３】
このように、輝度設定表示４４０が表示されることによって、ユーザは、シャッターボタン４１０の画面左右方向へのドラッグ操作によって輝度のパラメータが設定可能であることと、ドラッグの向きと輝度のパラメータの増減との関係を容易に把握することができる。
【０１０４】
さらに、シャッターボタン４１０は、撮像部１１０に設定されているパラメータの値に応じて、画面の上下方向または左右方向に移動して表示されてもよい。図示されている例では、シャッターボタン４１０が上向きにドラッグ操作されたことによって、撮像部１１０に設定されている画角のパラメータが変更され、変更された画角のパラメータに応じて、シャッターボタン４１０の位置が上向きに移動して表示されている。ここで、シャッターボタン４１０が画面の上向きに移動して表示されるのに伴って、輝度設定表示４４０も同様に、画面の上向きに移動して表示されてもよい。
【０１０５】
［４−３．変形例］
本実施形態の変形例として、シャッターボタン４１０に対する第１の種類の操作として所定の時間以上持続する押下操作を、第２の種類の操作として所定の時間未満の押下操作をそれぞれ取得する構成としてもよい。また、制御部１５０が、第１の種類の操作の持続時間に応じてタイマー１６０のカウンタ値を設定する構成としてもよい。
【０１０６】
このように、押下操作における押圧力の大きさの代わりに押下操作の持続時間を用いる構成とすれば、タッチパネル２３０がユーザの押下操作の押圧力を取得可能ではない場合、および、タッチパネル２３０がマウスなどのポインティングデバイスによって代用されている場合にも、本実施形態と同様の操作画面４００を表示することができる。
【０１０７】
＜５．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０８】
１００，２００    情報処理装置
１１０    撮像部
１２０    ディスプレイ
１３０，２３０    タッチパネル
１５０，２５０    制御部
１６０    タイマー
１７０    記憶部
３００，４００    操作画面
３１０，４１０    シャッターボタン
３２０    対象画像
【図１】
2014067457.tif 000003
【図２】
2014067457.tif 000004
【図３】
2014067457.tif 000005
【図４】
2014067457.tif 000006
【図５】
2014067457.tif 000007
【図６】
2014067457.tif 000008
【図７】
2014067457.tif 000009
【図８】
2014067457.tif 000010
【図９】
2014067457.tif 000011
【図１０】
2014067457.tif 000012